(57)【要約】【課題】確実な滑り止め効果が得られ、かつ、手をスムーズに擦り動かして歩行できる手摺の把持部材を提供する。【解決手段】手摺の把持部材１において、外周面の頂部には、硬質で手との間に働く摩擦力が小さい摺動部１１が露出し、外周面の両側部には、摺動部１１よりも軟質で手との間に働く摩擦力が大きい滑止部１２が露出し、摺動部１１の露出部分が滑止部１２の露出部分に遮られることなく手摺の軸線方向に連続するものとする。この把持部材１を用いた手摺では、摺動部１１の表面に沿って手を擦り動かしながらスムーズに歩行でき、手摺を握ると、滑止部１２により手の滑りが防止されるので、腕の力を利用して体を支えながら、段差の昇降や立ち座り等の動作を行うことができる。【選択図】図１
2016138363.tif 000002
【特許請求の範囲】
【請求項１】
手で触れる外周面が滑り止め機能を有する手摺の把持部材(1)において、外周面の頂部には、硬質で手との間に働く摩擦力が小さい摺動部(11)が露出し、外周面の両側部には、摺動部(11)よりも軟質で手との間に働く摩擦力が大きい滑止部(12)が露出し、摺動部(11)の露出部分が滑止部(12)の露出部分に遮られることなく手摺の軸線方向に連続することを特徴とする手摺の把持部材。
【請求項２】
前記摺動部(11)と滑止部(12)とが一体成形された樹脂製であって、摺動部(11)及び滑止部(12)の一方が構造の主体となる基層とされ、他方が外周面の表層として形成された重層構造であることを特徴とする請求項１に記載の手摺の把持部材。
【請求項３】
前記摺動部(11)と滑止部(12)とが一体成形された樹脂製であって、摺動部(11)及び滑止部(12)が単層構造をなすように、周方向に配置されたことを特徴とする請求項１に記載の手摺の把持部材。
【請求項４】
前記摺動部(11)と滑止部(12)とが別体であって、摺動部(11)が構造の主体となる部材とされ、その表面の凹部(11a)に滑止部(12)が嵌め込まれたことを特徴とする請求項１に記載の手摺の把持部材。
【発明の詳細な説明】
【技術分野】
【０００１】
この発明は、廊下や階段等に沿って設置される手摺の把持部材に関するものである。
【背景技術】
【０００２】
高齢化の進展に伴い、廊下や階段のほか、玄関やトイレ、浴室等にも手摺が設置され、手摺に体を預けるようにして日常動作を行うことができるバリアフリー環境が整備されつつある。ところが、手摺に体重をかけた状態で手が滑ると、転倒のおそれがあり危険なため、滑り止め機能を有する手摺の把持部材が種々提案されている。
【０００３】
例えば、下記特許文献１には、図９に示すように、手摺の芯材に被せられる樹脂製の把持部材であって、全周に亘って重層構造をなすように、外周側が軟質合成樹脂から成る滑止層５１とされ、内周側が硬質合成樹脂から成る形状保持層５２とされると共に、外側面下部に複数本の突条５３が形成されたものが記載されている。
【０００４】
このような把持部材を芯材に被せた手摺を玄関やトイレ等に設置すると、手摺を握ったとき滑りにくいので、腕の力を利用して体を支えながら、段差の昇降動作や立ち座り等の動作を行うことができる。
【０００５】
また、下記特許文献２には、図１０に示すような手摺が記載されている。この手摺は、合成樹脂製の把持部材６１をアルミニウム等の金属から成る芯材６２に被せ、施工状態で下方となる部分に位置する把持部材６１の開放溝に、弾性材から成る溝埋材６３を嵌めた構成とされている。溝埋材６３には、手摺の軸線方向に間隔をあけて、変形を抑制した複数の突起６４が形成され、溝埋材６３が滑り止め効果を得るための部材とされている。
【先行技術文献】
【特許文献】
【０００６】
【特許文献１】特開２００３−２４７３１４号公報
【特許文献２】特開２００７−２０４９４９号公報
【発明の概要】
【発明が解決しようとする課題】
【０００７】
しかしながら、上記特許文献１に記載の把持部材では、外周面全体が滑止層とされているため、この把持部材を用いた手摺を廊下や階段に設置した場合、手摺の表面に沿って手を擦り動かしながらスムーズに歩行することができず、煩わしく感じることもある。
【０００８】
また、上記特許文献２に記載の手摺では、元来、把持時に違和感を与えないように、手に触れにくい下方部分に嵌めた溝埋材を滑り止め用の部材としているため、転倒しかけて咄嗟に手摺を握った場合などにおいて、溝埋材の部分をしっかりと把持できず、十分な滑り止め効果が得られないおそれがある。
【０００９】
そこで、この発明は、確実な滑り止め効果が得られ、かつ、手をスムーズに擦り動かして歩行できる手摺の把持部材を提供しようとするものである。
【課題を解決するための手段】
【００１０】
上記課題を解決するため、この発明は、手で触れる外周面が滑り止め機能を有する手摺の把持部材において、外周面の頂部には、硬質で手との間に働く摩擦力が小さい摺動部が露出し、外周面の両側部には、摺動部よりも軟質で手との間に働く摩擦力が大きい滑止部が露出し、摺動部の露出部分が滑止部の露出部分に遮られることなく手摺の軸線方向に連続するものとしたのである。
【００１１】
この把持部材は、前記摺動部と滑止部とが一体成形された樹脂製のものとしてもよく、摺動部と滑止部とが別体であって、摺動部が構造の主体となる部材とされ、その表面の凹部に滑止部が嵌め込まれたものとしてもよい。
【発明の効果】
【００１２】
この発明に係る把持部材を用いた手摺では、外周面の頂部に露出した摺動部が軸線方向に連続するので、摺動部の表面に沿って手を擦り動かしながらスムーズに歩行でき、手摺を握ると、外周面の両側部に露出した滑止部により手の滑りが防止されるので、腕の力を利用して体を支えながら、段差の昇降や立ち座り等の動作を行うことができる。
【図面の簡単な説明】
【００１３】
【図１】この発明の第１実施形態に係る把持部材を芯材に被せた手摺Ｈ１の（ａ）径方向における断面図、（ｂ）斜視図
【図２】同上の第２実施形態に係る把持部材を芯材に被せた手摺Ｈ２の（ａ）径方向における断面図、（ｂ）斜視図
【図３】同上の第３実施形態に係る把持部材を芯材に被せた手摺Ｈ３の（ａ）径方向における断面図、（ｂ）斜視図
【図４】同上の第４実施形態に係る把持部材を芯材に被せた手摺Ｈ４の（ａ）径方向における断面図、（ｂ）斜視図
【図５】同上の第５実施形態に係る把持部材を芯材に被せた手摺Ｈ５の（ａ）径方向における断面図、（ｂ）斜視図
【図６】同上の第６実施形態に係る把持部材を芯材に被せた手摺Ｈ６の（ａ）径方向における断面図、（ｂ）斜視図
【図７】同上の第７実施形態に係る把持部材である手摺Ｈ７の（ａ）径方向における断面図、（ｂ）斜視図
【図８】第１実施形態に係る把持部材を用いた手摺Ｈ１の廊下及び階段への設置状態を示す斜視図
【図９】特許文献１に記載された手摺の把持部材の径方向における断面図
【図１０】特許文献２に記載された滑止用の溝埋材を有する手摺の斜視図
【発明を実施するための形態】
【００１４】
以下、この発明の実施形態を添付図面に基づいて説明する。
【００１５】
図１に示す手摺Ｈ１は、第１実施形態に係る合成樹脂製の把持部材１を、アルミニウム等の金属から成るコ字状断面のレールである芯材２に被せた構造であり、荷重に対する強度の大きなものとされている。
【００１６】
把持部材１は、施工状態で下方となる部分に開放溝を有する円筒状の形状であり、手で触れる外周面の頂部には、硬質で手との間に働く摩擦力が小さい摺動部１１が露出し、外周面の両側部には、摺動部１１より軟質で手との間に働く摩擦力が大きい滑止部１２が露出して、摺動部１１及び滑止部１２が同一径の滑らかな外周面を形成している。
【００１７】
そして、把持部材１の外周面において、摺動部１１の露出部分は、滑止部１２の露出部分に遮られることなく、手摺Ｈ１の軸線方向に長く連続している。
【００１８】
摺動部１１は、把持部材１の構造の主体となる基層とされ、滑止部１２は、外周面の両側部の表面側にのみ層をなす表層として形成されている。
【００１９】
摺動部１１の合成樹脂材料としては、例えば、ポリ塩化ビニルやポリプロピレン樹脂が使用され、滑止部１２の合成樹脂材料としては、例えば、オレフィン系エラストマーが使用される。摺動部１１及び滑止部１２は、２層押出し成形法により一体的な重層構造をなすように形成され、剥がれたりすることはない。
【００２０】
また、把持部材１に対応して、芯材２にも手摺Ｈ１の軸線方向に延びる開放溝が形成され、施工状態では、これらの開放溝にゴム等から成る溝埋材３が嵌められて、手摺Ｈ１の外周面が切れ目のない円筒面とされる。
【００２１】
次に、図２に示す手摺Ｈ２は、第２実施形態に係る把持部材１を上記と同様の金属レールの芯材２に被せたものである。この把持部材１は、上記第１実施形態に係るものと同様の基本構造及び材質のものであるが、滑止部１２は、外周面の両側部で手摺Ｈ２の軸線方向に長く連続する複数本の帯状となっている。
【００２２】
次に、図３に示す手摺Ｈ３は、第３実施形態に係る把持部材１を上記と同様の金属レールの芯材２に被せたものである。この把持部材１もまた、上記第１実施形態に係るものと同様の基本構造及び材質のものであるが、滑止部１２は、外周面の両側部で手摺Ｈ３の軸線に交差する方向に延びる多数本の短い筋状となっている。
【００２３】
次に、図４に示す手摺Ｈ４は、第４実施形態に係る把持部材１を上記と同様の金属レールの芯材２に被せたものである。この把持部材１もまた、上記第１実施形態に係るものと同様の基本構造及び材質のものであるが、滑止部１２は、外周面の両側部で小さな円形を多数散らした水玉模様状となっている。
【００２４】
なお、第２〜第４実施形態に係る手摺Ｈ２，Ｈ３，Ｈ４において、滑止部１２は、摺動部１１から突出することなく把持部材１の滑らかな外周面を形成しているものであっても、摺動部１１から若干突出しているものであってもよい。
【００２５】
次に、図５に示す手摺Ｈ５は、第５実施形態に係る合成樹脂製の把持部材１を、硬質の合成樹脂製又は金属製パイプである芯材２に被せたものである。
【００２６】
この手摺Ｈ５の把持部材１は、上記第１実施形態に係るものと同様の材質から成る摺動部１１及び滑止部１２を有するが、形状は厚肉の円筒状であり、滑止部１２が把持部材１の構造の主体となる基層とされ、摺動部１１が外周面の頂部の表面側にのみ層をなす表層として形成された２層押出し成形による重層構造となっている。そして、摺動部１１及び滑止部１２が同一径の滑らかな外周面を形成している。
【００２７】
次に、図６に示す手摺Ｈ６は、第６実施形態に係る合成樹脂製の把持部材１を、木製の丸棒である芯材２に被せた構造である。
【００２８】
この手摺Ｈ６の把持部材１は、上記第１実施形態に係るものと同様の材質から成る摺動部１１及び滑止部１２を有するが、形状は薄肉の円筒状であり、頂部及び底部の摺動部１１と両側部の滑止部１２とが単層構造をなすように周方向に配置されて、押出し成形により一体成形されている。そして、摺動部１１及び滑止部１２が同一径の滑らかな外周面を形成している。
【００２９】
次に、図７に示す手摺Ｈ７は、第７実施形態に係る把持部材１のみから構成され、木製の丸棒から成る摺動部１１が構造の主体となり、摺動部１１の外周面の両側部に形成された凹部１１ａに、上記第１実施形態と同様の材質から成る別体の滑止部１２を嵌め込んだ構造とされている。
【００３０】
摺動部１１の凹部１１ａは、中央に切溝１１ｂを有し、この切溝１１ｂに滑止部１２の突条１２ａが圧入されて、摺動部１１に滑止部１２が固定されている。そして、把持部材１の外周面は、摺動部１１及び滑止部１２の露出部分により形成された滑らかな円筒面となっている。なお、摺動部１１の凹部及び滑止部１２は、様々な断面形状のものが採用できる。また、摺動部１１と滑止部１２とは、接着により固定してもよい。
【００３１】
図８は、施工例として、第１実施形態に係る把持部材１を用いた手摺Ｈ１を、廊下から階段へかけて連続手摺となるように設置した状態を示す。この設置に際しては、廊下及び階段の壁面にそれぞれ手摺Ｈ１をブラケット２１で固定すると共に、手摺Ｈ１同士を廊下と階段のコーナー部分でエルボ部材２２を介して連結し、連続手摺の両端となる手摺Ｈ１の端部に終端のエルボ部材２３を取り付ける。第２〜第７実施形態に係る手摺Ｈ２〜Ｈ７を設置する場合も同様に行う。
【００３２】
上記のような把持部材１を用いた手摺Ｈ１〜Ｈ７では、廊下や階段のほか、玄関やトイレ等に設置すると、外周面の頂部に露出した摺動部１１が軸線方向に連続するので、摺動部１１の表面に沿って手を擦り動かしながらスムーズに歩行でき、手摺Ｈ１〜Ｈ７を握ると、外周面の両側部に露出した滑止部１２により手の滑りが防止されるので、腕の力を利用して体を支えながら、段差の昇降や立ち座り等の動作を行うことができる。
【００３３】
また、滑り止め機能を確保しつつ、摺動部１１と滑止部１２とが露出した外周面を突出のない滑らかな面とすることができるので、手で握ったとき違和感がなく、外観にも優れた手摺とすることができ、施工時に挿通式のブラケットに挿し込む場合においても、引っ掛かる部分がないので、施工が困難になることもない。
【符号の説明】
【００３４】
Ｈ１〜Ｈ７  手摺
１  把持部材
２  芯材
１１  摺動部
１１ａ  凹部
１１ｂ  切溝
１２  滑止部
１２ａ  突条
２１  ブラケット
２２，２３  エルボ部材
【図１】
2016138363.tif 000003
【図２】
2016138363.tif 000004
【図３】
2016138363.tif 000005
【図４】
2016138363.tif 000006
【図５】
2016138363.tif 000007
【図６】
2016138363.tif 000008
【図７】
2016138363.tif 000009
【図８】
2016138363.tif 000010
【図９】
2016138363.tif 000011
【図１０】
2016138363.tif 000012